(57)【要約】【課題】ウェブページの表示パターンを変更して、見にくくなってしまっても、誰でも容易に元の表示パターンに変更できるようにする。【解決手段】表示パターンの変更により、クライアント装置に表示されたウェブページが見にくくなる。クライアント装置は、画像処理装置に表示パターンのリセットを要求する。画像処理装置は、復旧用ウェブページをクライアント装置に送信する。クライアント装置は、復旧用ウェブページを表示する。復旧用ウェブページは、変更された表示パターンの影響を受けない。復旧用ウェブページにおいて、リセットボタンが操作されると、クライアント装置は、表示パターンを元に戻すことを画像処理装置に要求する。画像処理装置は、工場出荷時の初期状態に表示パターンを変更する。クライアント装置は、変更された表示パターンにしたがってウェブページを表示する。【選択図】図９
2010211551.tif 000002
【特許請求の範囲】
【請求項１】
画像処理装置の操作に必要なウェブページを提供するサーバ部と、外部からの入力にしたがってウェブページの表示パターンを変更する表示制御部とを備え、サーバ部は、表示パターンを元に戻すための復旧用ウェブページを有し、復旧用ウェブページは、表示制御部による変更の影響を受けない固定の表示パターンによって表示されることを特徴とする画像処理装置。
【請求項２】
表示制御部は、復旧用ウェブページにおける操作にしたがって、表示パターンが変更されたウェブページを元の表示パターンに戻すことを特徴とする請求項１記載の画像処理装置。
【請求項３】
サーバ部は、表示パターンの変更されたウェブページにおける特定の操作によって復旧用ウェブページを提供することを特徴とする請求項２記載の画像処理装置。
【請求項４】
ウェブページの元の表示パターンとして、複数の表示パターンが設定され、表示制御部は、復旧用ウェブページにおける操作を通じて、複数の表示パターンのうち、選択された１つの表示パターンに戻すことを特徴とする請求項２または３記載の画像処理装置。
【請求項５】
表示パターンは、任意に設定可能とされ、表示制御部は、任意に設定された表示パターンを元の表示パターンにリセットすることを特徴とする請求項４記載の画像処理装置。
【請求項６】
サーバ部は、外部のクライアント装置に復旧用ウェブページを提供し、表示制御部は、クライアント装置からの入力にしたがって変更されたウェブページの表示パターンを変えることを特徴とする請求項１〜５のいずれかに記載の画像処理装置。
【請求項７】
ウェブページを表示する操作パネルを備え、表示制御部は、操作パネルからの入力にしたがって変更されたウェブページの表示パターンを変えることを特徴とする請求項１〜５のいずれかに記載の画像処理装置。
【請求項８】
画像処理装置と画像処理装置の操作を行うクライアント装置とが通信可能に接続された画像処理システムであって、画像処理装置は、自装置の操作に必要なウェブページを提供するサーバ部と、外部からの入力にしたがってウェブページの表示パターンを変更する表示制御部とを備え、サーバ部は、表示パターンを元に戻すための復旧用ウェブページを有し、復旧用ウェブページは、表示制御部による変更の影響を受けない固定の表示パターンによって表示され、クライアント装置は、画像処理装置のサーバ部から取得したウェブページを表示し、ウェブページにおける特定の操作によって復旧用ウェブページを取得することを特徴とする画像処理システム。
【請求項９】
クライアント装置は、復旧用ウェブページのアドレス情報が入力されたとき、画像処理装置に復旧用ウェブページを要求し、画像処理装置は、復旧用ウェブページをクライアント装置に送信することを特徴とする請求項８記載の画像処理システム。
【請求項１０】
クライアント装置は、特定のキー操作がされたとき、画像処理装置に復旧用ウェブページを要求し、画像処理装置は、復旧用ウェブページをクライアント装置に送信することを特徴とする請求項８記載の画像処理システム。
【請求項１１】
クライアント装置は、復旧用ウェブページにおいて変更の操作がされたとき、画像処理装置に変更の指示を送信し、画像処理装置の表示制御部は、クライアント装置からの指示にしたがって、表示パターンが変更されたウェブページを元の表示パターンに戻すことを特徴とする請求項８〜１０のいずれかに記載の画像処理システム。
【発明の詳細な説明】
【技術分野】
【０００１】
本発明は、通信可能に接続されたクライアント装置から操作可能な画像処理装置に関する。
【背景技術】
【０００２】
サーバ機能を有する画像処理装置は、ネットワークに接続され、外部のクライアント装置と通信可能とされる。画像処理装置に組み込まれたウェブページは、クライアント装置のブラウザによって取得され、クライアント装置は、ウェブページを通じて画像処理装置に対して種々の操作を行える。
【０００３】
そして、ウェブページの表示パターンは、ユーザが好む配色に変更可能とされる。ユーザが好む配色に変更する場合、特許文献１では、予め数種類の表示パターンが設定され、それらの中からいずれか１つが選ばれる。特許文献２では、ユーザが自由に背景色や文字色などを変更する。
【０００４】
ただし、ユーザが自由に背景色や文字色を変更した場合、その色の組み合わせによっては、ウェブページの視認性が悪くなってしまうおそれがある。特許文献３には、ブラウザで表示するときに、自動的に予め設定されている色に変換して表示させる技術が記載されている。
【先行技術文献】
【特許文献】
【０００５】
【特許文献１】特開２００５−３２２３０号公報
【特許文献２】特開２００５−５７６１７号公報
【特許文献３】特開２００１−１５４６５５号公報
【発明の概要】
【発明が解決しようとする課題】
【０００６】
ところで、ウェブページの閲覧を行うユーザ全てが表示パターンの変更の設定を行っているとは限らない。あるユーザが、装置全体の表示パターン(スタイルシート)のカスタマイズを行った場合、意図しない表示結果になってしまい、他のユーザにとって、見にくいページになり、内容を視認できず、操作ができなくなるといった問題が発生する。ユーザは、このようなウェブページを元の表示パターンに戻そうとしても、設定変更用のウェブページにすら辿り着くことができない。そのため、ウェブページの修復が困難になってしまう。
【０００７】
本発明は、上記に鑑み、ウェブページの表示パターンを変更して、見にくくなってしまっても、誰でも容易に元の表示パターンに変更できるようにする画像処理装置の提供を目的とする。
【課題を解決するための手段】
【０００８】
本発明は、画像処理装置の操作に必要なウェブページを提供するサーバ部と、外部からの入力にしたがってウェブページの表示パターンを変更する表示制御部とを備えたものである。サーバ部は、表示パターンを元に戻すための復旧用ウェブページを有し、復旧用ウェブページは、表示制御部による変更の影響を受けない固定の表示パターンによって表示される。
【０００９】
表示パターンが変更されて、ウェブページが見にくくなっても、復旧用ウェブページは、変更された表示パターンに影響されないので、復旧用ウェブページを視認することができる。したがって、復旧用ウェブページにおいて、表示パターンを元に戻すための操作が可能となる。すなわち、表示制御部は、復旧用ウェブページにおける操作にしたがって、表示パターンが変更されたウェブページを元の表示パターンに戻す。
【００１０】
サーバ部は、表示パターンの変更されたウェブページにおける特定の操作によって復旧用ウェブページを提供する。ウェブページが見にくくなっているため、通常の操作が行いにくくなっている。そこで、ユーザがいつもとは異なる特定の操作を行うことにより、復旧用ウェブページが表示される。
【００１１】
ウェブページの元の表示パターンとして、複数の表示パターンが設定されている場合、表示制御部は、復旧用ウェブページにおける操作を通じて、複数の表示パターンのうち、選択された１つの表示パターンに戻す。また、表示パターンは、任意に設定可能とされ、表示制御部は、任意に設定された表示パターンを元の表示パターンにリセットする。
【００１２】
サーバ部は、外部のクライアント装置に復旧用ウェブページを提供し、表示制御部は、クライアント装置からの入力にしたがって変更されたウェブページの表示パターンを変える。あるいは、画像処理装置は、ウェブページを表示する操作パネルを備え、表示制御部は、操作パネルからの入力にしたがって変更されたウェブページの表示パターンを変える。
【００１３】
画像処理システムでは、画像処理装置と画像処理装置の操作を行うクライアント装置とが通信可能に接続される。クライアント装置は、画像処理装置のサーバ部から取得したウェブページを表示し、ウェブページにおける特定の操作によって復旧用ウェブページを取得する。
【００１４】
そして、特定の操作として、復旧用ウェブページのアドレス情報が入力されたとき、あるいは特定のキー操作がされたとき、クライアント装置は、画像処理装置に復旧用ウェブページを要求する。画像処理装置は、復旧用ウェブページをクライアント装置に送信する。
【００１５】
クライアント装置は、復旧用ウェブページにおいて変更の操作がされたとき、画像処理装置に変更の指示を送信し、画像処理装置の表示制御部は、クライアント装置からの指示にしたがって、表示パターンが変更されたウェブページを元の表示パターンに戻す。
【発明の効果】
【００１６】
本発明によると、表示パターンを変更することができない復旧用ウェブページを使用することにより、表示パターンの変更にかかわらず、視認可能な復旧用ウェブページを表示することができる。この復旧用ウェブページでは、間違いなく復旧のための操作を行えるので、簡単に表示パターンを元に戻すことができる。
【図面の簡単な説明】
【００１７】
【図１】本発明の画像処理システムの全体構成図
【図２】画像処理装置およびクライアント装置の概略構成を示すブロック図
【図３】表示パターンの設定画面を示す図
【図４】一般的な設定画面を示す図
【図５】不適切な表示パターンの設定画面を示す図
【図６】表示不良が発生した設定画面を示す図
【図７】復旧設定画面を示す図
【図８】他の復旧設定画面を示す図
【図９】表示不良を解消するときのフローチャート
【図１０】管理テーブルを示す図
【図１１】複数の表示パターンが登録された管理テーブルを示す図
【図１２】複数の表示パターンおよびユーザパターンが登録された管理テーブルを示す図
【図１３】表示パターンの設定画面を示す図
【図１４】表示パターンのカスタマイズ設定画面を示す図
【図１５】復旧設定画面を示す図
【図１６】表示不良を解消するときのフローチャート
【図１７】他の復旧設定画面を示す図
【発明を実施するための形態】
【００１８】
本実施形態の画像処理システムを図１に示す。画像処理システムは、クライアント装置１と画像処理装置２とから構成される。複数のクライアント装置１および画像処理装置２がＬＡＮやインターネットといったネットワーク３に接続され、クライアント装置１と画像処理装置２との間で通信可能とされる。なお、画像処理装置２は複数であってもよい。
【００１９】
図２に示すように、クライアント装置１は、パーソナルコンピュータからなり、ＣＰＵ１０、ハードディスク１１、ＲＯＭ１２、ＲＡＭ１３、通信部１４、ディスプレイ１５、キーボード、マウス等の入力デバイス１６を備えている。電源が投入されると、ＣＰＵ１０、ＲＯＭ１２、ＲＡＭ１３からなる制御部１７は、ＲＯＭ１２に記憶されたブートプログラムに従い、ハードディスク１１からＯＳ及びアプリケーションを読み出して、ＲＡＭ１３に展開する。そして、制御部１７は、形成された画像をディスプレイ１５に表示する。
【００２０】
画像処理装置２は、通信部２０、表示部２１、操作パネル２２、サーバ部２３、印刷部２４、ＣＰＵ２５、ハードディスク２６、ＲＯＭ２７、フラッシュメモリ２８、ＲＡＭ２９を備えている。電源が投入されると、ＣＰＵ２５、ＲＯＭ２７からなる制御部３０は、ＲＯＭ２７に記憶されたブートプログラムに従い、フラッシュメモリ２８からファームウェアを読み出して、表示部２１に画面を表示し、待機状態となる。そして、画像データが入力されると、制御部３０は、操作指示にしたがってコピー、プリント、ファクシミリ通信等の処理を実行する。
【００２１】
サーバ部２３は、通信部２０を通じてＨＴＴＰ等の通信プロトコルによってクライアント装置１と通信を行い、クライアント装置１からの要求に応じてウェブページをクライアント装置１に提供するとともに、ウェブページを生成するために必要な情報を管理する。
【００２２】
クライアント装置１の制御部１７は、画像処理装置２との通信を制御する。入力デバイス１６が操作されると、制御部１７は、ハードディスク１１からブラウザ等のウェブアプリケーションを読み出して、通信部１４を通じて画像処理装置２のサーバ部２３と通信を行う。制御部１７は、画像処理装置２から取得したウェブページ用のデータをＲＡＭ１３に展開して画像を形成し、ウェブページをディスプレイ１５に表示する。
【００２３】
ウェブページとして、画像処理装置２を操作するための操作画面、画像処理装置２に対する各種設定を行うための設定画面、画像処理装置２が保持している情報を示す画面などが表示される。なお、クライアント装置１に表示される各種画面は、画像処理装置２の表示部２１においても表示される。
【００２４】
クライアント装置１の制御部１７が、ブラウザを介して画像処理装置２のサーバ部２３にアクセスすると、サーバ部２３は、ホームページをクライアント装置１に送信する。クライアント装置１の制御部１７は、受信したホームページをディスプレイ１５に表示する。このホームページにおいてユーザが入力操作すると、制御部は、操作用のウェブページをサーバ部２３から取得して、ディスプレイ１５に操作画面を表示する。なお、アプリケーションによっては、画像処理装置２から操作用のウェブページが直接取得され、操作画面が表示される。
【００２５】
そして、ユーザが、ウェブページから処理や設定を指示する操作を行うと、クライアント装置１の制御部１７は、入力された情報を画像処理装置２に送信する。画像処理装置２では、サーバ部２３は、クライアント装置１からの情報を受信すると、情報を解析して、制御部３０に対して処理や設定の実行を依頼する。制御部３０は、指示された処理を実行したり、設定を行う。
【００２６】
ウェブページは、決められた表示パターンにしたがって表示される。表示パターンとして、背景の色、文字の色、文字サイズなどがあげられる。表示パターンは、工場出荷時には、初期値に設定されている。表示パターンの初期値は、ハードディスク２６やフラッシュメモリ２８といった記憶部に記憶される。
【００２７】
表示パターンは変更可能とされ、ユーザは、表示パターンのカスタマイズを行うことができる。ユーザは、クライアント装置１を通じて表示パターンの設定を行う、あるいは画像処理装置２の操作パネル２２を通じて設定を行う。画像処理装置２の制御部３０は、外部からの入力にしたがってウェブページの表示パターンを変更する表示制御部として機能する。変更された表示パターンは記憶部に記憶される。サーバ部２３は、変更された表示パターンに基づいてウェブページを生成する。
【００２８】
図３に、表示パターンの設定画面３００を示す。クライアント装置１の制御部１７が、画像処理装置２にウェブページの表示パターンの設定要求を行うと、画像処理装置２のサーバ部２３は、設定用のウェブページを生成して、クライアント装置１に送信する。クライアント装置１の制御部１７は、ウェブページとして設定画面を表示する。
【００２９】
表示パターンの設定画面３００において、３０１は、ウェブページの背景色の指定を行うためのラジオボタンである。３０２は、ウェブページの文字色の指定を行うためのラジオボタンである。３０３は、ウェブページの文字サイズの指定を行うためのラジオボタンである。ユーザが登録ボタン３０４を操作することにより、設定の登録が行われる。この画面において設定された表示パターンは、背景色が白、文字色が黒、文字サイズが普通とされ、この表示パターンが画像処理装置２に登録される。
【００３０】
なお、ここでは、パスワード入力欄を設けていないが、パスワード入力欄を加える、もしくはページを表示する前にパスワードを入力させるようにして、画像処理装置２の制御部３０は、クライアント装置１を通じて入力されたパスワードの判定を行う。制御部３０は、入力されたパスワードが登録されたパスワードであることを確認すると、設定を許可する。したがって、管理者といった権限を有するユーザが画像処理装置２に対する設定を行える。
【００３１】
クライアント装置１の制御部１７は、ブラウザを動作させて、予め設定された画面を表示する。ユーザが、入力デバイス１６によって、画面のアドレスバー４０２にウェブページのアドレス情報としてＵＲＬあるいはＩＰアドレスを入力し、移動ボタン４０１を操作すると、制御部１７は、画像処理装置２に設定画面用のウェブページを要求する。画像処理装置２のサーバ部２３は、ウェブページをクライアント装置１に送信し、クライアント装置１の制御部１７は、図４に示すような設定画面４００を表示する。この設定画面４００は、図３に示した表示パターンにしたがって表示される。
【００３２】
設定画面４００において、ユーザがクリック等の操作を行うと、クライアント装置１の制御部１７は、リンク先のウェブページを取得して、新しい画面を表示する。リンク４０３が操作されると、ファクスアドレス設定画面が表示される。リンク４０４が操作されると、Ｅ−ｍａｉｌアドレス設定画面が表示される。リンク４０５が操作されると、ユーザ設定の初期設定画面が表示される。リンク４０６が操作されると、ユーザ登録画面が表示される。リンク４０７が操作されると、ユーザによる表示パターンのカスタマイズ設定画面３００が表示される。リンク４０８が操作されると、表示パターンの復旧設定画面が表示される。画面上でのマウスによる操作だけでなく、キーボードによる操作によっても、所望のウェブページを表示できる。例えば、リンク４０８の括弧囲み部４０９は、復旧設定画面を表示するためのショートカットキーを示している。ユーザが、キーボードの特定のキー、ここではＡｌｔキーとＱキーを同時に押すことにより、表示パターンの復旧設定画面が表示される。
【００３３】
ところで、図５に示すように、ラジオボタン５０１により背景色に濃いグレー、ラジオボタン５０２により文字色に黒、ラジオボタン５０３により文字サイズに普通がそれぞれ選択されたとき、登録ボタン５０４の操作により、クライアント装置１の制御部１７は、画像処理装置２に変更された表示パターンの情報を送信する。画像処理装置２のサーバ部２３は、受信した情報を制御部３０に出力し、制御部３０は、情報を記憶部に記憶して、変更された表示パターンの設定登録する。
【００３４】
このように変更されたウェブページの表示パターンにしたがって、設定画面６００が表示されると、図６に示すようになる。背景色のグレーと文字色の黒に濃淡差がないため、リンク６０３〜６０８および括弧囲み部６０９の文字が読みづらく、カーソルを合わせる位置がわかりにくいという表示不良が発生している。
【００３５】
ウェブページの表示パターンを変更して、見にくくなってしまっても、誰でも容易に元の表示パターンに変更できるようにするために、表示パターンを元に戻すための復旧用ウェブページが用意されている。復旧用ウェブページは、表示パターンの変更の影響を受けない固定された表示パターンを有している。復旧用ウェブページの表示パターンは、工場出荷時の表示パターンとされ、変更不可とされる。
【００３６】
画像処理装置２のサーバ部２３は、復旧用ウェブページをクライアント装置１に提供する。図７、８に示すように、クライアント装置１の制御部１７は、取得した復旧用ウェブページとして表示パターンの復旧設定画面７００を表示する。復旧設定画面７００における操作にしたがって、画像処理装置２の制御部３０は、変更された表示パターンを元の初期状態の表示パターンにする。初期状態の表示パターンは、工場出荷時の表示パターンである。
【００３７】
見にくくなったウェブページでは、図６に示すように、復旧設定画面７００を呼び出すためのリンク６０８がわからない。そこで、ユーザが、このリンク６０８に対して操作しなくても、特定の操作を行うと、クライアント装置１の制御部１７は、サーバ部２３から復旧用ウェブページを取得する。
【００３８】
表示パターンが変更されたウェブページにおいて、アドレスバー６０２は、ＯＳが関連する設定範囲であり、画像処理装置２における表示パターンとは関係ない。そのため、アドレスバー６０２は、表示パターンの変更の影響を受けず、ユーザは、アドレスバー６０２を常に視認できる。ユーザがアドレスバー６０２に復旧用ウェブページのＵＲＬを入力すると、現在の画面から復旧設定画面７００に移動する。あるいは、ユーザが復旧設定画面７００に対するショートカットキーを操作しても、復旧設定画面７００に移動する。また、復旧用ウェブページにリンクするための特定画像を操作画面や設定画面に設けてもよい。特定画像は、表示パターンの変更の影響を受けないので、視認可能である。ユーザが特定画像に対してクリック等の操作を行うと、現在の画面から復旧設定画面７００に移動する。
【００３９】
以上のように、特定の操作としては、リンクをクリックするといった通常の操作とは異なる操作であって、アドレスバー６０２へのＵＲＬ等のアドレス情報の入力、特定キーの操作、特定画像に対する操作である。表示パターンが変更されて、見にくい画面になっても、ユーザは上記した特定の操作を行える。
【００４０】
次に、ウェブページの変更された表示パターンをリセットするときの手順を図９にしたがって説明する。Ｓ１では、クライアント装置１のディスプレイ１５に表示された画面に、例えば図６の設定画面６００で示したような表示不良が発生している。Ｓ２において、ユーザが特定の操作として、例えば設定画面６００のアドレスバー６０２に、復旧用ウェブページのＵＲＬを入力し、移動ボタン６０１をクリックすると、クライアント装置１の制御部１７は、画像処理装置２に表示パターンの復旧設定画面７００を要求する。
【００４１】
Ｓ３において、画像処理装置２のサーバ部２３は、指定されたウェブページのデータをクライアント装置１に送信する。クライアント装置１の制御部１７は、受信したデータに基づいて、図７に示すような復旧設定画面７００を表示する。復旧設定画面７００は固定の表示パターンとされるので、常に画面に表示される画像を確認することができる。
【００４２】
Ｓ４において、ユーザは、テキストボックス７０３に管理者パスワードを入力する。そして、Ｓ５において、ユーザがボタン７０４をクリックすると、クライアント装置１の制御部１７は、画像処理装置２に表示パターンを工場出荷時の値に戻すことを要求する。
【００４３】
Ｓ６において、画像処理装置２の制御部３０は、Ｓ４で入力されたパスワードが正しいかどうかの判定を行う。パスワードが正しくない場合はＳ９に進み、制御部３０は、パスワードの再入力を促すためのメッセージを表示するよう、サーバ部２３に指示する。サーバ部２３は、指示に応じたウェブページを生成して、クライアント装置２にウェブページを送信する。クライアント装置１では、制御部１７は、画像処理装置２からのデータに基づいて、図８に示すような設定画面８００を表示する。設定画面８００のメッセージ部８０５にエラーメッセージが表示される。Ｓ４において、ユーザが正しいパスワードを入力する。
【００４４】
入力されたパスワードが正しい場合、Ｓ７に進む。なお、正しいパスワードが入力されない場合、画像処理装置２の制御部３０は、表示パターンをリセットする動作をキャンセルする。クライアント装置１のディスプレイ１５に、リセットを行うことができないといったメッセージが表示される。
【００４５】
Ｓ７において、画像処理装置２の制御部３０は、ウェブページの表示パターンを工場出荷時の表示パターンに設定する。サーバ部２３は、元に戻された表示パターンに基づいてウェブページを生成し、クライアント装置１にウェブページを送信する。Ｓ８において、クライアント装置１では、図４に示すような初期状態の表示パターンに戻された設定画面４００が表示される。これによって、ウェブページの表示不良が解消される。
【００４６】
ここで、画像処理装置２の制御部３０は、ウェブページの表示パターンを管理している。表示パターンに関する情報は、管理テーブルに格納され、管理テーブルは記憶部に保存される。図１０に示すように、管理テーブル１０００には、工場出荷パターン１００１、現在のパターン１００２について、背景色１００３、文字色１００４、文字サイズ１００５の情報がそれぞれ格納されている。工場出荷時には、工場出荷パターン１００１、現在のパターン１００２は同じ値を持っている。表示パターンが変更されると、現在のパターン１００２の値が変更される。工場出荷パターン１００１は、変更不可とされ、この表示パターンが復旧設定画面７００、８００に常に適用される。図９のＳ７において、工場出荷時の表示パターンに設定する場合、現在のパターン１００２の値が工場出荷パターン１００１と同じ値に設定される。
【００４７】
複数の表示パターンが予め設定されている場合の管理テーブルを図１１に示す。管理テーブル１１００において、固定パターン１１０１は、いかなる変更の影響も受けず、工場出荷時より変更されない。表示パターンとして３つの基本パターン１１０２〜１１０４が予め登録されている。基本パターン１１０２〜１１０４は、ユーザによる設定変更可能とされる。各基本パターン１１０２〜１１０４に対して、背景色１００３、文字色１００４、文字サイズ１００５、さらに各パターン１１０２〜１１０４の工場出荷値１１０５および現在の画面に適用されているかを示すデフォルトフラグ１１０６が設定されている。基本パターン１１０３を例にして説明すると、現在の背景色は濃いグレー、文字色は黒、文字サイズは普通とされ、工場出荷値１１０５はそれぞれ白、濃いグレー、普通である。デフォルトフラグ１１０６がＯＮであるため、この基本パターン１１０３が、現在のウェブページの表示パターンとして採用されている。
【００４８】
また、表示パターンはカスタマイズ可能とされ、ユーザによって設定された表示パターンがユーザパターンとして登録される。ユーザが任意に表示パターンを設定したとき、画像処理装置２の制御部３０は、設定された情報を管理テーブルに格納して、新規のユーザパターンとして登録する。
【００４９】
ユーザパターンが登録されている場合の管理テーブルを図１２に示す。管理テーブル１２００において、管理テーブル１１００と同様に、背景色１００３、文字色１００４、文字サイズ１００５、工場出荷値１１０５およびデフォルトフラグ１１０６が設定されている。固定パターン１２０１および複数の基本パターン１２０２〜１２０４では、ユーザによる変更が不可とされ、工場出荷値から変更されない。ユーザパターン１２０５、１２０６に対しては、ユーザによる設定変更が可能である。ここでは、ユーザパターン１２０５のデフォルトフラグ１１０６がＯＮであるため、このユーザパターン１２０５が現在のウェブページの表示パターンとして採用されている。
【００５０】
複数の表示パターンの中から、ユーザにより選択された表示パターンを現在の表示パターンとして登録するとき、クライアント装置１のディスプレイに、図１３に示すような表示パターンの設定画面１３００が表示される。ユーザが、プルダウンメニュー１３０１により任意の基本パターンを選択し、登録ボタン１３０２を操作すると、クライアント装置１の制御部１７は、画像処理装置２に表示パターンの登録要求を行う。画像処理装置２の制御部３０は、選択された基本パターン１１０３を現在の表示パターンとして登録する。この基本パターン１１０３に対するデフォルトフラグ１１０６がＯＮとなる。なお、登録の際に、画像処理装置２は、パスワードによってユーザを確認してから、登録の操作を許可してもよい。
【００５１】
複数の表示パターンが設定されているとき、画像処理装置２のサーバ部２３は、管理テーブル１１００を参照して、プルダウンメニューを有する設定画面用のウェブページを生成する。クライアント装置１は、設定画面１３００を表示する。この場合、設定画面１３００におけるプルダウンメニュー１３０１は、３つの基本パターン１１０２〜１１０４を表示する。また、複数の基本パターンおよびユーザパターンが設定されているとき、サーバ部２３は、管理テーブル１２００を参照して、プルダウンメニューを有する設定画面用のウェブページを生成する。プルダウンメニュー１３０１は、基本パターン１２０２〜１２０４およびユーザパターン１２０５、１２０６を表示する。
【００５２】
複数の表示パターンのうち、１つの表示パターンを変更するとき、クライアント装置１のディスプレイ１５に、図１４に示すような表示パターンのカスタマイズ設定画面１４００が表示される。設定画面１４００において、プルダウンメニュー１４０５からカスタマイズを行う基本パターンが選択される。ラジオボタン１４０１の操作により、ウェブページの背景色が指定される。ラジオボタン１４０２の操作により、ウェブページの文字色が指定される。ラジオボタン１４０３の操作により、ウェブページの文字サイズが指定される。登録ボタン１４０４が操作されると、クライアント装置１の制御部１７は、画像処理装置２に選択された基本パターンの変更情報を送信し、画像処理装置２の制御部３０は、受信した変更情報に基づいて、管理テーブルを更新し、変更された表示パターンを登録する。
【００５３】
複数の表示パターンが設定されているとき、画像処理装置２のサーバ部２３は、管理テーブル１１００を参照して、プルダウンメニューを有するカスタマイズ設定画面用のウェブページを生成する。カスタマイズ設定画面１３００におけるプルダウンメニュー１３０１は、３つの基本パターン１１０２〜１１０４を表示する。また、複数の基本パターンおよびユーザパターンが設定されているとき、プルダウンメニュー１３０１は、基本パターン１２０２〜１２０４およびユーザパターン１２０５、１２０６を表示する。
【００５４】
変更された基本パターンあるいは設定されたユーザパターンによる画面が見にくくなったとき、クライアント装置１に表示されているウェブページにおいて、ユーザが特定の操作をすると、クライアント装置１の制御部１７は、画像処理装置２に表示パターンの復旧の要求を行う。画像処理装置１のサーバ部２３は、復旧用ウェブページをクライアント装置１に送信する。クライアント装置１の制御部１７は、図１５に示すような表示パターンの復旧設定画面１５００を表示する。
【００５５】
復旧設定画面１５００において、プルダウンメニュー１５０３は、基本パターン１１０２〜１１０４を表示する。ユーザは、表示パターンを元に戻したい基本パターンを選択し、テキストボックス１５０４に管理者パスワードの入力を行う。ユーザがボタン１５０５を操作すると、クライアント装置１の制御部１７は、選択された基本パターンを工場出荷時の初期状態に戻すことを画像処理装置２に要求する。画像処理装置２の制御部３０は、この要求に応じて、変更された基本パターンを元に戻し、管理テーブルを更新する。
【００５６】
また、ユーザによって設定されたユーザパターンも元の表示パターンに戻すことができる。ユーザパターンに対する元の表示パターンとして、工場出荷値が予め設定されている。ユーザパターンも含めて表示パターンをリセットするときの手順を図１６にしたがって説明する。
【００５７】
Ｓ１１では、クライアント装置１のディスプレイ１５に表示された画面に、表示不良が発生している。例えば、ユーザパターン１２０５による表示では、背景色１００３が濃いグレー、文字色１００４が黒とされ、画面の文字が見にくくなっている。Ｓ１２において、ユーザが特定の操作として、例えば設定画面６００のアドレスバー６０２に、復旧用ウェブページのＵＲＬを入力し、移動ボタン６０１をクリックすると、クライアント装置１の制御部１７は、画像処理装置２に表示パターンの復旧用ウェブページを要求する。
【００５８】
Ｓ１３において、画像処理装置２のサーバ部２３は、指定されたウェブページをクライアント装置１に送信する。クライアント装置１の制御部１７は、受信したウェブページに基づいて、図１７に示すような設定画面１７００を表示する。
【００５９】
Ｓ１４において、ユーザは、デフォルトとして設定したい表示パターンをプルダウンメニュー１７０３の基本パターン１２０２〜１２０４から選択する。そして、Ｓ１５において、ユーザは、テキストボックス１７０４に管理者パスワードを入力する。Ｓ１６において、ユーザは、プルダウンメニュー１７０５により、ユーザパターンをリセットするか否かを選択する。プルダウンメニュー１７０５において、ユーザは、表示不良が発生しているユーザパターンのリセットを行うかどうかを「はい／いいえ」より選択する。リセットを行わないことが選択されると、Ｓ１８に進む。リセットを行うことが選択されると、Ｓ１７に進む。
【００６０】
Ｓ１７において、ユーザは、チェックボックス１７０６によりリセットを行うパターン名を選択する。パターン名は複数選択することを可能とされる。ここでは、ユーザパターン１およびユーザパターン２の両方がチェックされる。
【００６１】
Ｓ１８において、ユーザがボタン１７０７をクリックすると、クライアント装置１の制御部１７は、画像処理装置２に表示パターンおよびユーザパターンを初期状態に戻すことを要求する。
【００６２】
Ｓ１９において、画像処理装置２の制御部３０は、Ｓ１５で入力されたパスワードが正しいかどうかの判定を行う。パスワードが正しくない場合はＳ２２に進み、制御部３０は、パスワードの再入力を促すためのメッセージを表示するよう、サーバ部２３に指示する。サーバ部２３は、指示に応じたウェブページを生成して、クライアント装置１にウェブページを送信する。クライアント装置１では、制御部１７は、画像処理装置２からのデータに基づいて、設定画面１７００のメッセージ部１７０８にエラーメッセージを表示する。ユーザがパスワードを入力し直す。なお、正しいパスワードが入力されない場合、画像処理装置２の制御部３０は、表示パターンをリセットする動作をキャンセルする。クライアント装置１のディスプレイ１５に、リセットを行うことができないといったメッセージが表示される。
【００６３】
入力されたパスワードが正しい場合、Ｓ２０において、画像処理装置２の制御部３０は、選択された基本パターンに対して、工場出荷時の表示パターンに変更する。ここでは、基本パターン１２０３が選択されているので、管理テーブル１２００における基本パターン１２０３に対するデフォルトフラグ１１０６がＯＦＦからＯＮに変更され、ユーザパターン１２０５に対するデフォルトフラグ１１０６がＯＮからＯＦＦに変更される。また、ユーザパターン１２０５，１２０６のリセットも行うことが選択されているので、管理テーブル１２００におけるユーザパターン１２０５、１２０６の背景色１００３、文字色１００４、文字サイズ１００５がそれぞれの工場出荷値１１０５の値に変更される。
【００６４】
サーバ部２３は、元に戻された表示パターンに基づいてウェブページを生成し、クライアント装置１にウェブページを送信する。Ｓ２１において、クライアント装置１では、図４に示すような工場出荷時の表示パターンに戻された設定画面４００が表示される。これによって、ウェブページの表示不良が解消される。
【００６５】
なお、本発明は、上記実施形態に限定されるものではなく、本発明の範囲内で上記実施形態に多くの修正および変更を加え得ることは勿論である。画像処理装置の表示部には、ウェブページと同じ画面が表示される。したがって、ユーザは、画像処理装置において表示パターンの変更を行える。操作パネルは、入力キーやタッチパネルからなる操作部と表示部とを有する。操作パネルは、復旧設定画面を表示し、操作部からの入力にしたがって、制御部は、変更された表示パターンを元の表示パターンに変える。
【００６６】
クライアント装置は、画像処理装置と通信して、ウェブページを表示できるものであればよく、例えば携帯電話であってもよい。
【符号の説明】
【００６７】
１    クライアント装置
２    画像処理装置
１０    ＣＰＵ
１１    ハードディスク
１２    ＲＯＭ
１３    ＲＡＭ
１４    通信部
１５    ディスプレイ
１６    入力デバイス
１７    制御部
２０    通信部
２１    表示部
２２    操作パネル
２３    サーバ部
２４    印刷部
２５    ＣＰＵ
２６    ハードディスク
２７    ＲＯＭ
２８    フラッシュメモリ
２９    ＲＡＭ
３０    制御部
【図１】
2010211551.tif 000003
【図２】
2010211551.tif 000004
【図３】
2010211551.tif 000005
【図４】
2010211551.tif 000006
【図５】
2010211551.tif 000007
【図６】
2010211551.tif 000008
【図７】
2010211551.tif 000009
【図８】
2010211551.tif 000010
【図９】
2010211551.tif 000011
【図１０】
2010211551.tif 000012
【図１１】
2010211551.tif 000013
【図１２】
2010211551.tif 000014
【図１３】
2010211551.tif 000015
【図１４】
2010211551.tif 000016
【図１５】
2010211551.tif 000017
【図１６】
2010211551.tif 000018
【図１７】
2010211551.tif 000019